Podtech/llm-jp-corpus-v4-ja_patent huggingface dataset:
(57)【要約】【課題】  体毛をたくさん持つペットを飼育する人にとって、その抜け毛は周囲に飛散し大変に厄介なものである。  家庭用掃除機とブラシを組み合わせた従来の考案ではブラシが吸引口の外側に設けられていたためブラシ自体に抜け毛がからみついたり、飛散した抜け毛の多くを捕集しきれずにいた。  本発明は、抜け毛を飛散させずに、確実に捕集できる掃除機吸引口に取り付けるペットブラシを提供する。【解決手段】  ブラシを支持金具を介して、飛散防止カバーの中央付近の空中に設け、吸引力が最大に作用している飛散防止カバー内でブラッシングをすることにより、確実に抜け毛を捕捉すると共に、支持金具のしなり、弾力を利用して、ペットにとって柔らかく快適なブラッシングと、飼育者の抜け毛にかかる労力、煩わしさを一挙に解決することを可能にしたことを特徴とする掃除機吸引口に取り付けるペットブラシ。【選択図】図３
2011130752.tif 000002
【特許請求の範囲】
【請求項１】
ブラシを支持金具を介して、飛散防止カバーの内側中央付近の空中に取り付ける構造であって、梳き歯と複数個の取り付け突起部を持ったブラシを形成し、支持金具にはブラシの取り付け突起部の数に相当する複数個の孔を設け、ノズル接続部の先端に飛散防止カバーを取り付け、その飛散防止カバー内側のノズル接続部の反対側に、取り付けられたブラシの梳き歯の先端が開口縁より、約１ｃｍ〜１．５ｃｍ程出るような位置に支持金具受け凸部を設け、支持金具受け凸部一点に留められた支持金具は薄い平板状であり、根元から先は、加えられた力に応じて柔らかくしなることを特徴とする掃除機吸引口に取り付けるペットブラシ。
【発明の詳細な説明】
【技術分野】
【０００１】  本発明は、ペットの抜け毛を除去する際に使用する掃除機吸引口に取り付けるペットブラシに関するものである。
【背景技術】
【０００２】  従来、ペットの抜け毛を除去するには、そのままブラシをかけるか、家庭用掃除機の吸引力とブラシを併用するかしていたが、抜け毛が周辺に飛散してしまい、床、カーペット、衣服等に付着してしまうことがあった。（特許文献１、および、特許文献２参照）。
【先行技術文献】
【０００３】
【特許文献１】  実開平６−７９４４７号公報
【特許文献２】  特開２００７−２９６２０６号公報
【発明の概要】
【発明が解決しようとする課題】
【０００４】  そのため、次のような問題点があった。
家庭用掃除機の吸引力とブラシを併用した従来の考案では、吸引口の外側にブラシが設けられており、ブラシのさまざまな動きに吸引力が作用しきれずに抜け毛を捕捉しきれないでいた。
ブラシの周囲をカーテンで囲む考案では、カーテン自体が抜け毛を飛散させてしまい、本末転倒である。
カーテンが吸引口をふさいでしまう心配もある。
また、ブラシの梳き歯の間隔が狭く抜け毛がからまり、それを取り除く作業が生じてしまい非効率的である。
本発明は、これらの問題点を解決するためになされたものである。
【課題を解決するための手段】
【０００５】  ブラシを支持金具を介して、飛散防止カバーの内側中央付近の空中に取り付ける構造である。
梳き歯と複数個の取付突起部を持ったブラシを形成する。
支持金具にはブラシの取付突起部の数に相当する複数個の孔を設ける。
飛散防止カバーはノズル接続部の先端に取り付けられる。
飛散防止カバー内側のノズル接続部の反対側に、取り付けたブラシの梳き歯の先端が開口縁より約１ｃｍ〜１．５ｃｍ程出るような位置に支持金具受け凸部を設ける。
支持金具受け一点に留められた支持金具は薄い平板状であり、根元から先は加えられた力に応じて柔らかくしなる。
以上の構成よりなる掃除機吸引口に取り付けるペットブラシ。
【発明の効果】
【０００６】（イ）掃除機の吸引力を最大限に効率良く利用できる簡素な構造をなしたことにより、飛    散防止カバー内側にも、ブラシにもまったく抜け毛がからまない。
（ロ）ブラシを飛散防止カバーの中央付近空中に設け、吸引力が最大に作用している範囲    内でブラッシングすることにより、抜け毛を確実に捕捉して吸い込み除去できるので    、ペットの抜け毛は周囲に飛散しない。
（ハ）支持金具に柔らかいしなりがあるので、どんな種類のペットに対しても、毛足の長    短を選ばずに、常にペットにとって快適なブラッシングを行える。
（ニ）ペットの抜け毛にかかる飼育者の労力と煩わしさを本発明により劇的に軽減させる    ことができる。
（ホ）ブラシは簡単に取りはずしできるので、掃除がし易く、常に衛生的に保てる。
【図面の簡単な説明】
【０００７】
【図１】  本発明の一部であるブラシの斜視図である。
【図２】  本発明をセットする途中のブラシ装着直前の斜視図である。
【図３】  本発明の使用状態を示した斜視図である。
【発明を実施するための形態】
【０００８】  以下、本発明の実施の形態について説明する。
（イ）ブラシを支持金具を介して飛散防止カバーに取り付ける構造であって、梳き歯（１    ）と複数個の取り付け突起部（２）を持つブラシ（３）を形成する。
（ロ）支持金具（４）にブラシ（３）の取り付け突起部（２）の数に相当する複数個の孔    （５）を設ける。
（ハ）飛散防止カバー（６）をノズル接続部（７）の先端に設ける。
（ニ）飛散防止カバー（６）内側のノズル接続部（７）の反対側に、取り付けたブラシ（    ３）の梳き歯（１）の先端が開口縁（９）より、約１ｃｍ〜１．５ｃｍ程出るような    位置に支持金具受け凸部（８）を設ける。
（ホ）ブラシ（３）が持つ取り付け突起部（２）を、支持金具（４）が持つ孔（５）に合    わせて回して取り付ける。
（ヘ）支持金具受け一点に留められた支持金具は薄い平板状であり、根元から先は、加え    られた力に応じて柔らかくしなる。
本発明は以上のような構成である。
これを使用するときは、家庭用掃除機の吸引口先端に、飛散防止カバー（６）を接続し、吸引力を利用しながらペットに直接自由自在にブラッシングを行なう。
掃除機の吸引力を最大限に効率良く利用できる構造をなしたため、飛散防止カバー（６）内側にもブラシ（３）にも吸引力が確実に作用し、梳き歯（１）が梳きとった抜け毛は、確実に捕捉、吸引され、周囲に飛散しない。
また、支持金具（４）のしなり、弾力が、入れ過ぎた力を柔らかく吸収するので、どんな種類のペットに対しても、毛足の長さを選ばす、ペットの大きさにも関係なく常にペットにとって、快適なブラッシングをすることができる。
【符号の説明】
【０００９】  １  梳き歯
２  取り付け突起部
３  ブラシ
４  支持金具
５  孔
６  飛散防止かバー
７  ノズル接続部
８  支持金具受け凸部
９  開口縁
【図１】
2011130752.tif 000003
【図２】
2011130752.tif 000004
【図３】
2011130752.tif 000005
(57)【要約】【課題】ビニールハウス内で重量のある収穫した作物等を振動や衝撃を受けずに作業者が手で押して運搬できる。【解決手段】ビニールハウスの構造部材の支柱（パイプ材）１にレール３を取付ける為のレール支持金具２を取付け、それに２本のレール３をレール固定金具５で固定しその２本のレール３上を上下高さ調節可能で手で押し易いようにハンドル部６を設けた荷受台７を取付けた四輪移動車４を手で押して走行させる。【選択図】図１
2011130756.tif 000002
【特許請求の範囲】
【請求項１】
ビニールハウス内天井空間において、ビニールハウスを構成する長手方向に沿って伸びる構造部材の支柱（パイプ材）にレールを取付ける為に、レール支持金具を止め金具と一体となった状態のものを任意に位置に等間隔に設置し、前記レール支持金具の左右対称としたＬ型形状アングル部の水平箇所に２本のレールをレール固定金具により固定され、ビニールハウス上部空間に２本のレールを設置した状態とし、その２本のレール上を上下高さ調節可能とした懸垂フレームにハンドル部を設け荷受台が取付けられた四輪移動車を手で押して走行させる運搬器具。
【発明の詳細な説明】
【技術分野】
【０００１】    本考案は、ビニールハウス内において、生産物又は資材等の運搬に関するものである。
【背景技術】
【０００２】    ビニールハウス内での運搬には、従来では、ビニールハウス出入口の大きさ、天井の高さ、栽培作物によっての地面の状況により、原動機付運搬機等を容易に活用することが出来ず人力による運搬作業が主流で、台車や一輪車やリヤカー、あるいは作物によってはそれ専用の運搬具（例えば、特許文献１参照。）を利用して資材や収穫済作物等を運搬しているのが現状である。また、回転伝達技術を利用した搬送装置（例えば、特許文献２参照。）がある。
【先行技術文献】
【特許文献】
【０００３】
【特許文献１】  特開２００１−２６９０１６号  公報
【特許文献２】  特開２００４−９７１６６号  公報
【発明の概要】
【発明が解決しようとする課題】
【０００４】    従来通りの人力によっては、物の重さ、量の運搬には限界があり何度も往復しなければならないという作業効率の悪さ、またハウス内の地面が凹凸等、ぬかるみなどで非常に不安定で台車や一輪車やリヤカー等での運搬には、作業者に大きな負担が強いられていた。また、台車や一輪車等での運搬では振動や衝撃をまともに受けてしまい、振動や衝撃に弱い収穫した作物等を傷ませてしまうという問題点があった。【０００５】    本発明は従来の問題点を解決しようとするものであり、作業者の労力負担の軽減そして、収穫した作物等に振動や衝撃を与えないで運搬することができることを目的とする。
【課題を解決するための手段】
【０００６】    ビニールハウス上部空間においてビニールハウスの構造部材で長手方向に沿って伸びる支柱（パイプ材）に２本のレールを設置し、その２本のレール上を上下高さ調節可能にしてハンドル部を設けた荷受台が取り付けられた四輪移動車を走行させることにより、作業者の押し易い高さで荷受台を固定でき重いものや収穫した作物等をその荷受台に載せて振動や衝撃を受けずに運搬することが出来る。
【発明の効果】
【０００７】    本発明の運搬器具は次のような効果がある。
１．本運搬器具は四輪移動車を２本のレール上を走行させるため比較的重量のある物を荷受台に載せて運搬することが出来る。
２．本運搬器具はビニールハウス内の上部空間を利用して運搬するため地面を有効に活用することができる。。
３．本運搬器具は上下高さの調節が出来るため作業者の作業し易い高さに調節し運搬することが出来る。
４．本運搬器具はビニールハウス内の上部空間にレールを設置しそこを走行させることから、地面の状況に影響されず、収穫した作物等に振動や衝撃を与えずに運搬することが出来る。
５．本運搬器具を構成するそれぞれの部材は小型で軽量の為、取付け取り外し時には、一人で作業が十分行える。
【図面の簡単な説明】
【０００８】
【図１】本発明の実施例を示す斜視図である。
【発明を実施するための形態】
【０００９】    本発明の実施の形態を添付図面により説明する。本発明は、ビニールハウスを構成する構造部材の支柱（パイプ材）を利用しそれに２本のレールを設置し、荷受台の取り付けられた四輪移動車を２本のレール上を走行させる。
【実施例】
【００１０】    本発明の実施例を図１より説明すると、ビニールハウスの構造部材で長手方向に沿って伸びている支柱（パイプ材）１にレールを取り付ける為にレール支持金具２を任意の位置に等間隔で取付ける。【００１１】    そのレール支持金具２は、止め金具下側８ｂに取り付けられたものであり、その止め金具下側８ｂと止め金具上側８ａがその２つの部材の間に前記支柱（パイプ材）１を挟んだ状態でそれぞれの部材の両端にあるフック部が互いにかみ合い取付けられる。【００１２】    止め金具８により取り付けられたレール支持金具２は、左右対称とした金属素材のＬ型形状アングル部を設けそこにそれぞれ１本づつレール３を載せて、下からレール固定金具５で固定する。よって、ビニールハウスの上部空間に長手方向に沿って２本のレール３が設置される。【００１３】    その２本のレール３上にピン金具９を抜き差し自由として上下高さ調節可能なものとし手で押し易いようにハンドル部６を設けた荷受台７が取り付けられた四輪移動車４を手で押して走行させることが出来る。なお、この２本のレール３の取り付け箇所は、生産物、又は、地面の状況により前記支柱（パイプ材）１以外にも取り付けが可能である。
【符号の説明】
【００１４】１．支柱（パイプ材）
２．レール支持金具
３．レール
４．四輪移動車
５．レール固定金具
６．ハンドル部
７．荷受台
８．止め金具
８ａ．止め金具上側
８ｂ．止め金具下側
９．ピン金具
【図１】
2011130756.tif 000003
(57)【要約】      （修正有）【課題】テレビ電話において、見つめ合いながら会話ができるようにする。【解決手段】いわゆる「カメラ目線」のまま原稿を読むことができるプロンプター内蔵カメラの技術を応用し、テレビ電話において、テレビカメラのレンズの前にハーフミラーを設置し、ハーフミラーに相手の画像が映し出される様にする。それによって通話者同士がお互いに目を見つめながら会話が楽しめるようになる。自宅用固定電話において実施する形態と、携帯電話によって実施する形態がある。【選択図】なし【特許請求の範囲】
【請求項１】
カメラ用プロンプターを用いて、それをテレビ電話に利用し、テレビ電話で通話者同士が互いに相手の目を見つめながら会話が出来る機械。
【発明の詳細な説明】
【技術分野】
【０００１】  本発明はテレビ用プロンプターに関する。
【発明が解決しようとする課題】
【０００２】  本発明は従来のテレビ電話では、見つめ合いながら会話ができなった問題を解決する。
【課題を解決するための手段】
【０００３】  従来のいわゆる「カメラ目線」のまま原稿を読むことができるプロンプター内蔵カメラの技術を応用し、テレビ電話において、テレビカメラのレンズの前にハーフミラーを設置し、ハーフミラーに相手の画像が映し出される様にする。
【発明の効果】
【０００４】  それによって通話者１と通話者２はお互いに目を見つめながら会話が楽しめるようになる。
【発明を実施するための形態】
自宅用固定電話において実施する形態と、携帯電話によって実施する形態がある。